(57)【要約】【課題】入力された文字データに関連する情報を、位置情報に基づいて効率的に検索して表示する情報表示装置において、ユーザが実際に装置を利用して、認識された文字データと場所の関連付けを定義したデータベースが蓄積されるまでは優先的に検索させることはできず、検索速度の向上が望めない。【解決手段】文字データを入力する文字データ入力部１１０と、文字列と情報との対応関係を記憶する記憶部１２０と、前記文字データと前記記憶部１２０に記憶される文字列との比較を行うことで、前記文字データに対応する情報を表示する情報表示部１４０とを備える。また、当該情報表示装置の位置を検出する位置検出部１５０を備え、前記情報表示部１４０は、前記位置検出部１５０により検出される位置情報に基づいて比較を行う文字列の順番を変更させる。【選択図】図２
2014228909.tif 000002
【特許請求の範囲】
【請求項１】
文字データを入力する文字データ入力部と、
文字列と情報との対応関係を記憶する記憶部と、
前記文字データと前記記憶部に記憶される文字列との比較を行うことで、前記文字データに対応する情報を表示する情報表示部と、
を備えた情報表示装置。
【請求項２】
当該情報表示装置の位置を検出する位置検出部を備え、
前記情報表示部は、前記位置検出部により検出される位置情報に基づいて比較を行う文字列の順番を変更させることを特徴とする請求項１記載の情報表示装置。
【請求項３】
ユーザに位置を入力させる位置情報入力部を備え、
前記情報表示部は、前記位置情報入力部により検出される位置情報に基づいて比較を行う文字列の順番を変更させることを特徴とする請求項１記載の情報表示装置。
【請求項４】
当該情報表示装置とは異なる装置から位置を取得する位置情報取得部を備え、
前記情報表示部は、前記位置情報取得部により取得した位置情報に基づいて比較を行う文字列の順番を変更させることを特徴とする請求項１記載の情報表示装置。
【請求項５】
前記記憶部に記憶される文字列と位置を示す文字列との対応関係を記憶する文字列位置情報変換部を備え、
前記情報表示部は、前記位置検出部、前記位置情報入力部または前記位置情報取得部により得られる位置情報と前記文字列位置情報変換部が記憶する対応関係に基づいて、前記記憶部に記憶される文字列を抽出し、前記抽出した文字列の順番の優先度が高くなるように、比較を行う文字列の順番を変更させることを特徴とする請求項２〜４のいずれか１項に記載の情報表示装置。
【請求項６】
前記位置検出部、前記位置情報入力部または前記位置情報取得部により得られる位置情報の変化を検知する位置変化検知部と、
前記位置情報の変化を検知した時点からの時間経過を計測する時間計測部を備え、
前記情報表示部は、前記位置検出部により検出される位置情報に基づいて比較を行う文字列の順番を変更させるかどうかを、前記位置情報の変化後の時間経過に基づいて判断することを特徴とする請求項２〜５のいずれか１項に記載の情報表示装置。
【請求項７】
前記情報表示部は、前記文字データと前記記憶部に記憶される文字列との比較を行うことで、前記文字データに対応する情報の候補を表示することを特徴とする請求項１〜６のいずれか１項に記載の情報表示装置。
【発明の詳細な説明】
【技術分野】
【０００１】
本発明は、入力された文字データに関連する情報を効率的に検索して表示する情報表示装置に関するものである。
【背景技術】
【０００２】
従来、入力された文字データに関連する情報を、位置情報に基づいて効率的に検索して表示する情報表示装置として、過去に認識された文字データ（ユーザの音声情報）を場所に関連付けてあらかじめ格納しておき、文字データを受信した際に、その場所に関連付けられた文字データを優先的に検索させる情報表示装置があった（例えば、特許文献１参照）。上記方法により、文字データが優先的に検索される可能性が高くなるため、検索速度が向上する効果があった。
【先行技術文献】
【特許文献】
【０００３】
【特許文献１】特開２００５−３００９８９号公報
【発明の概要】
【発明が解決しようとする課題】
【０００４】
しかしながら、上記従来の構成では、ユーザが実際に装置を利用して、認識された文字データと場所の関連付けを定義したデータベースが蓄積されるまでは優先的に検索させることは出来ず、検索速度の向上が望めないという課題を有していた。
【０００５】
本発明は、前記従来の課題を解決するもので、検索速度の向上が望める情報表示装置を提供することを目的とする。
【課題を解決するための手段】
【０００６】
前記従来の課題を解決するために、本発明の情報表示装置は、文字データを入力する文字データ入力部と、文字列と情報との対応関係を記憶する記憶部と、前記文字データと前記記憶部に記憶される文字列との比較を行うことで、前記文字データに対応する情報を表示する情報表示部とを備える。また、当該情報表示装置の位置を検出する位置検出部を備え、前記情報表示部は、前記位置検出部により検出される位置情報に基づいて比較を行う文字列の順番を変更させることを特徴とする。
【０００７】
これにより、文字列と情報との対応関係を記憶する記憶部があらかじめ装置に含まれているため、ユーザが装置を実際に使用しなくても検索速度の向上が可能となる。
【発明の効果】
【０００８】
本発明の情報表示装置は、位置情報に基づいて比較を行う文字列の順番を変更させることで、比較を行う文字列が優先的に検索される可能性が高くなるため、検索速度を向上することができる。
【図面の簡単な説明】
【０００９】
【図１】本発明の実施の形態１における情報表示装置の構成図
【図２】本発明の実施の形態２における情報表示装置の構成図
【図３】本発明の実施の形態３における情報表示装置の構成図
【図４】本発明の実施の形態４における情報表示装置の構成図
【図５】本発明の実施の形態５における情報表示装置の構成図
【図６】本発明の実施の形態６における情報表示装置の構成図
【図７】本発明の実施の形態１における画面変換テーブルの一例を示す図
【図８】本発明の実施の形態１におけるＫＷテーブルの一例を示す図
【図９】本発明の実施の形態１における文字データと記憶部に記憶される文字列との比較アルゴリズムの一例を示す図
【図１０】本発明の実施の形態５における文字列の順番を変更する前の画面変換テーブルの一例を示す図
【図１１】本発明の実施の形態５におけるＫＷテーブルの一例を示す図
【図１２】本発明の実施の形態５における文字列の順番を変更した後の画面変換テーブルの一例を示す図
【図１３】本発明の実施の形態５における記憶部に記憶される文字列と位置情報との対応関係の一例を示す図
【図１４】本発明の実施の形態７における情報表示部が表示する文字列の候補の一例を示す図
【発明を実施するための形態】
【００１０】
第１の発明は、文字データを入力する文字データ入力部と、文字列と情報との対応関係を記憶する記憶部と、前記文字データと前記記憶部に記憶される文字列との比較を行うことで、前記文字データに対応する情報を表示する情報表示部とを備えた情報表示装置である。これによって、入力された文字データに関連する画面表示を行うことができる。
【００１１】
第２の発明は、特に、第１の発明において、当該情報表示装置の位置を検出する位置検出部を備え、前記情報表示部は、前記位置検出部により検出される位置情報に基づいて比較を行う文字列の順番を変更させる情報表示装置である。これによって、位置情報に基づいて比較を行う文字列の順番を変更させることができ、文字列がヒットするタイミングが変わるため、検索速度を変更することができる。
【００１２】
第３の発明は、特に、第２の発明において、ユーザに位置を入力させる位置情報入力部を備え、前記情報表示部は、前記位置情報入力部により検出される位置情報に基づいて比較を行う文字列の順番を変更させる情報表示装置である。これによって、位置情報に基づいて比較を行う文字列の順番を変更させることができ、文字列がヒットするタイミングが変わるため、検索速度を変更することができる。
【００１３】
第４の発明は、特に、第２の発明において、当該情報表示装置とは異なる装置から位置を取得する位置情報取得部を備え、前記情報表示部は、前記位置情報取得部により取得した位置情報に基づいて比較を行う文字列の順番を変更させることを特徴とする情報表示装置である。これによって、位置情報に基づいて比較を行う文字列の順番を変更させることができ、文字列がヒットするタイミングが変わるため、検索速度を変更することができる。
【００１４】
第５の発明は、特に、第２〜第４の発明において、前記記憶部に記憶される文字列と位置を示す文字列との対応関係を記憶する文字列位置情報変換部を備え、前記情報表示部は、前記位置検出部、前記位置情報入力部または前記位置情報取得部により得られる位置情報と前記文字列位置情報変換部が記憶する対応関係に基づいて、前記記憶部に記憶される文字列を抽出し、前記抽出した文字列の順番の優先度が高くなるように、比較を行う文字列の順番を変更させる情報表示装置である。これによって、位置情報に基づいて比較を行う文字列の順番を、位置情報に関連する文字列が優先的に検索されるように並べ替えるため、
文字列がヒットするタイミングが早くなる可能性が高くなり、検索速度が早くなる効果が期待できる。
【００１５】
第６の発明は、特に、第２〜第５の発明において、前記位置検出部、前記位置情報入力部または前記位置情報取得部により得られる位置情報の変化を検知する位置変化検知部と、
前記位置情報の変化を検知した時点からの時間経過を計測する時間計測部を備え、記情報表示部は、前記位置検出部により検出される位置情報に基づいて比較を行う文字列の順番を変更させるかどうかを、前記位置情報の変化後の時間経過に基づいて判断する情報表示装置である。これによって、位置情報が変更されてから一定期間内は、位置情報に基づいて比較を行う文字列の順番を、位置情報に関連する文字列が優先的に検索されるように並べ替えないため、順番を変更しないほうが検索速度の向上が期待できる可能性がある場合にも対応できる。
【００１６】
第７の発明は、特に、第１〜第６の発明において、前記情報表示部は、前記文字データと前記記憶部に記憶される文字列との比較を行うことで、前記文字データに対応する情報の候補を表示する情報表示装置である。これによって、文字データに関連する候補を表示する。また、候補一覧の文字データをユーザに選択させて、文字データに関連する画面表示を行うため、ユーザの意図した可能性の高い文字データに対応する画面を表示することができる。
【００１７】
以下、本発明の実施の形態について、図面を参照しながら説明する。なお、この実施の形態によって本発明が限定されるものではない。
【００１８】
（実施の形態１）
図１は、本実施の形態における情報表示装置１００の図を示すものである。本実施の形態では、画面表示を行う情報表示装置１００において、文字データ入力部１１０により入力された文字データと記憶部１２０に記憶される文字列との比較を比較部１３０で行い、文字データに関連する画面表示を情報表示部１４０を介して行う。
【００１９】
図１において、文字データ入力部１１０は、例えばキーボード等の文字データを入力する装置である。記憶部１２０は、例えば不揮発メモリ等のデータを記憶する装置であり、例えば図７および図８のデータを記憶する。
【００２０】
図８は、記憶部１２０に記憶される文字列を定義するキーワードのテーブル（以下、ＫＷテーブルと記載）の一例である。
【００２１】
図７は、ＫＷテーブルと画面表示の関連を示すテーブル（以下、画面変換テーブルと記載）の一例である。情報表示部１４０は、例えばディスプレイ等の画面表示を行う装置である。比較部１３０は、例えばユーザからのキーボード入力の文字列とＫＷテーブルのキーワードを比較し、少なくとも部分的に一致した場合は、ＫＷテーブルに関連する画面を情報表示部１４０を介して表示させる。
【００２２】
図９は、比較部１３０が、文字データと記憶部１２０に記憶される文字列との比較を行うアルゴリズムの一例の図を示すものである。比較部１３０は、図７に示す画面変換テーブルの行番号「１」を検索行としてセットする（Ｓ１０００）。次に、比較部１３０は、該当するＫＷテーブル（最初はＫＷテーブル１）を参照し、文字データとＫＷテーブルの文字列との比較を行い（Ｓ１００１）、文字データとＫＷテーブルが一致するかどうかを判断する（Ｓ１００２）。比較部１３０は、一致すれば該当画面ありと判断する（Ｓ１００３）。
【００２３】
ＫＷテーブルは、横軸にａｎｄ条件を満たした場合は該当ありと判断される。例えば、
ユーザが文字データ入力部１１０を通じて「洗乾  おまかせ」と入力した場合、ＫＷテーブル１の行番号１の「洗乾」と「おまかせ」がａｎｄで該当するため、ＫＷテーブル１に該当する画面表示（洗濯〜乾燥／おまかせ）を情報表示部１４０を介して表示する。
【００２４】
また、例えば、ユーザが文字データ入力部１１０を通じて「洗濯乾燥」とキーボード入力した場合、ＫＷテーブル１の行番号１には該当しないが、行番号２の「洗濯乾燥」該当するため、ＫＷテーブル１に該当する画面表示（洗濯〜乾燥／おまかせ）を情報表示部１４０を介して表示する。
【００２５】
比較部１３０は、該当するＫＷテーブル（最初はＫＷテーブル１）を参照し、文字データとＫＷテーブルの文字列との比較を行い、文字データとＫＷテーブルが一致しなければ、検索行を次行にセットし（Ｓ１００４）、画面変換テーブルを全てチェックしたか否かを判断する（Ｓ１００５）。画面変換テーブルを全てチェックしていない場合は、検索を継続する（Ｓ１００１）。画面変換テーブルを全てチェックした場合は、該当画面無しであると判断する（Ｓ１００６）。
【００２６】
例えば、ユーザが文字データ入力部１１０を通じて「洗濯  念入り」とキーボード入力した場合、ＫＷテーブル１およびＫＷテーブル２に該当しないため、該当画面無しであると判断する。該当画面無しである場合、例えば該当画面が無いことを情報表示部１４０を介して表示する。
【００２７】
なお、実施の形態１において、文字データ入力部１１０はキーボード入力を例に説明したが、文字データを入力する装置であれば何でもよい。また、記憶部１２０は不揮発メモリを例に説明したが、データを記憶する装置であれば何でもよい。また、情報表示部１４０はディスプレイを例に説明したが、情報を表示する装置であれば何でもよい。また、ヒットの条件としてＫＷテーブルは横軸にａｎｄ条件を満たした場合は該当ありと判断すると記載したが、例えばｏｒ等ａｎｄ以外の条件でもよい。
【００２８】
（実施の形態２）
図２は、本実施の形態における情報表示装置の図を示すものである。本実施の形態では、画面表示を行う情報表示装置において、位置情報に基づいて、記憶部１２０に記憶される文字列の順番を変更し、入力された文字データと記憶部１２０に記憶される文字列との比較を行い、文字データに関連する画面表示を行う情報表示装置について説明する。
【００２９】
図２において、位置検出部１５０は例えばＧＰＳ等の位置情報を検出する装置である。比較部１３０は、位置情報に基づいて、記憶部１２０に記憶される文字列の順番を変更する。具体的な一例を挙げると、図８で示すＫＷテーブル１において、行番号「２」から文字データとＫＷテーブルが一致するか否かを調べ、その次に行番号「１」のＫＷテーブルと文字データとが一致するか否かを調べるようにする。
【００３０】
また、文字列の順番を変更するアルゴリズムは何でもよく、例えば位置情報を乱数のキーとして乱数を生成し、乱数に基づいて順番を変更してもよい。
【００３１】
また、記憶部１２０に記憶される文字列を変更するのではなく、検索アルゴリズムを変更してもよい。例えば、図９では検索行を１行目にセットしているが、位置情報を乱数のキーとして乱数Ｘを生成し、乱数Ｘに基づいて検索行をＹ（Ｙ＝（Ｘ  ％  テーブル行数）  ＋  １  ）行目にセットすることで、検索順序を変更してもよい。
【００３２】
（実施の形態３）
図３は、本実施の形態における情報表示装置の図を示すものである。本実施の形態では
、画面表示を行う情報表示装置において、位置情報に基づいて、記憶部１２０に記憶される文字列の順番を変更し、入力された文字データと記憶部１２０に記憶される文字列との比較を行い、文字データに関連する画面表示を行う情報表示装置について説明する。
【００３３】
図３において、位置情報入力部１６０は例えばキーボード等の位置情報を入力する装置である。比較部１３０は、位置情報に基づいて、記憶部１２０に記憶される文字列の順番を変更する。変更するアルゴリズムは何でもよく、例えば位置情報を乱数のキーとして乱数を生成し、乱数に基づいて順番を変更してもよい。
【００３４】
また、記憶部１２０に記憶される文字列を変更するのではなく、検索アルゴリズムを変更してもよい。例えば、図９では検索行を１行目にセットしているが、位置情報を乱数のキーとして乱数Ｘを生成し、乱数Ｘに基づいて検索行をＹ（Ｙ＝（Ｘ  ％  テーブル行数）  ＋  １  ）行目にセットすることで、検索順序を変更してもよい。
【００３５】
（実施の形態４）
図４は、本実施の形態における情報表示装置の図を示すものである。本実施の形態では、画面表示を行う情報表示装置において、位置情報に基づいて、記憶部１２０に記憶される文字列の順番を変更し、入力された文字データと記憶部１２０に記憶される文字列との比較を行い、文字データに関連する画面表示を行う情報表示装置について説明する。
【００３６】
図４において、位置情報取得部１７０は例えばＬＡＮやＵＳＢなどの外部接続インタフォースであり、外部接続した装置から位置情報を取得する装置である。比較部１３０は、位置情報に基づいて、記憶部１２０に記憶される文字列の順番を変更する。変更するアルゴリズムは何でもよく、例えば位置情報を乱数のキーとして乱数を生成し、乱数に基づいて順番を変更してもよい。
【００３７】
また、記憶部１２０に記憶される文字列を変更するのではなく、検索アルゴリズムを変更してもよい。例えば、図９では検索行を１行目にセットしているが、位置情報を乱数のキーとして乱数Ｘを生成し、乱数Ｘに基づいて検索行をＹ（Ｙ＝（Ｘ  ％  テーブル行数）  ＋  １  ）行目にセットすることで、検索順序を変更してもよい。
【００３８】
（実施の形態５）
図５は、本実施の形態における情報表示装置の図を示すものである。本実施の形態では、画面表示を行う情報表示装置において、位置検出部１５０が検出する位置情報に基づいて、記憶部１２０に記憶される位置情報に関連性が高い文字列を抽出し、抽出した文字列の優先度が高くなるように記憶部１２０に記憶される文字列の順番を変更し、入力された文字データと記憶部１２０に記憶される文字列との比較を行い、文字データに関連する画面表示を行う情報表示装置について説明する。
【００３９】
図５において、記憶部１２０は、例えば不揮発メモリ等のデータを記憶する装置であり、例えば図１０および図１１および図１２のデータを記憶する。
【００４０】
図１１は、記憶部１２０に記憶される文字列を定義するキーワードのテーブル（以下、ＫＷテーブルと記載）の一例である。
【００４１】
図１０および図１２は、ＫＷテーブルと画面表示の関連を示すテーブル（以下、画面変換テーブルと記載）の一例である。
【００４２】
図５において、文字列位置情報変換部１８０は記憶部１２０に記憶される文字列と位置を示す文字列との対応関係を記憶する。対応関係は、例えば図１３に示すとおりであり、
図１１に定義されたＫＷと、ＫＷに対応する位置情報を記憶する。比較部１３０は、位置検出部１５０により得られる位置情報と文字列位置情報変換部１８０が記憶する情報に基づいて、記憶部１２０に記憶される文字列を抽出し、抽出した文字列の順番の優先度が高くなるように、比較を行う文字列の順番を変更させる。
【００４３】
例えば位置情報がアメリカである場合、図１３の位置情報がアメリカであるＫＷの優先度が高くなるように文字列の順番を変更させる。例えば位置情報がアメリカである場合の比較を行う文字列の順番を変更させた後の画面変換テーブルを図１２に示す。アメリカにいる場合は英語を利用する可能性が高く、文字データが英語である場合、図１２の方が図１０に比べて早くヒットする可能性が高くなるため、検索速度の向上が期待できる。
【００４４】
なお、実施の形態５において、位置情報は日本とアメリカを例に説明したが、中国など他国を追加してもよい。その場合、位置検出部１５０により検出される位置情報に近いＫＷから順番に並べ替えてもよい。例えば位置情報が日本である場合、一番近い日本、次に近い中国、一番通りアメリカの順に文字列を並び替えてもよい。また、図１３に定義されたＫＷは、図１１に定義されたＫＷとして説明したが、図１１に定義されたＫＷを含まなくてもよい。また、例えば図１３に未定義のＫＷが図１１に含まれる場合は、あらかじめ定義されたデフォルトの位置情報をＫＷに対応付けてもよい。
【００４５】
（実施の形態６）
図６は、本実施の形態における情報表示装置の図を示すものである。本実施の形態では、画面表示を行う情報表示装置において、位置情報に基づいて、記憶部１２０に記憶される文字列を抽出し、抽出した文字列の優先度が高くなるように記憶部１２０に記憶される文字列の順番を変更し、入力された文字データと記憶部１２０に記憶される文字列との比較を行い、文字データに関連する画面表示を行う情報表示装置について説明する。
【００４６】
図６において、位置変化検出部１９０は、位置検出部１５０を参照し、位置情報が変化したかどうかを例えば定期的に監視する。時間計測部１９５は例えばタイマーであり、位置変化検出部１９０が検知した位置情報の変化した時点からの時間経過を計測する。
【００４７】
比較部１３０は、比較を行う文字列の順番を変更させるかどうかを、位置情報の変化後の時間経過に基づいて判断する。比較部１３０は、閾値として例えば３０日を保持しておき、例えば位置情報の変化を検知した時点からの時間経過が３０日未満であれば文字列の順番を変更しない。例えば日本からアメリカに移住した際、しばらくは家庭でも日本語を使用することが想定されるため、順番を変更しないほうが検索速度の向上が期待できる可能性があるためである。なお、閾値に絶対時間を用いて説明したが、相対時間でもよい。
【００４８】
（実施の形態７）
図１４は、本実施の形態における情報表示部１４０が表示する文字列の候補の一例を示す。情報表示部１４０は、文字データに関連する候補を表示する。例えば文字データが音声である場合は、音声データがユーザの意図した文字データに変換されるとは限らないため、文字データに関連する候補を表示する。候補は、音声データを変換した文字データでもよいし、文字データに該当する文字列を検索して、文字データに該当する文字列を表示してもよい。また、候補一覧の文字データをユーザに選択させて、文字データに関連する画面表示を行ってもよい。
【産業上の利用可能性】
【００４９】
以上のように、本発明にかかる情報表示装置は、洗濯機、スマートフォン、テレビ、カーナビ、パソコンなど情報を表示する装置及び情報を表示する部品を含む装置などに適応できる。
【符号の説明】
【００５０】
１００  情報表示装置
１１０  文字データ入力部
１２０  記憶部
１３０  比較部
１４０  情報表示部
１５０  位置検出部
１６０  位置情報入力部
１７０  位置情報取得部
１８０  文字列位置情報変換部
１９０  位置変化検出部
１９５  時間計測部
【図１】
2014228909.tif 000003
【図２】
2014228909.tif 000004
【図３】
2014228909.tif 000005
【図４】
2014228909.tif 000006
【図５】
2014228909.tif 000007
【図６】
2014228909.tif 000008
【図７】
2014228909.tif 000009
【図８】
2014228909.tif 000010
【図９】
2014228909.tif 000011
【図１０】
2014228909.tif 000012
【図１１】
2014228909.tif 000013
【図１２】
2014228909.tif 000014
【図１３】
2014228909.tif 000015
【図１４】
2014228909.tif 000016